(57)【要約】【課題】扉の外表面に水滴が付着した状態で扉を傾動させても、水滴がディスクカートリッジの装填部へと落下することを防げるディスク装置及びこれを備えたカメラを提供すること。【解決手段】筐体４と、筐体４に開口された挿入口１０と、挿入口１０から挿入されるディスクカートリッジ８を収容可能な装填部２４と、挿入口１０を閉塞する閉位置へと付勢されており、装填部２４側に傾動することで挿入口１０を開放する扉１２とを備え、扉１２の外表面に、外部から付着される水滴が、挿入口１０を開放する開位置で装填部２４内に落下することを防止するための水滴落下防止手段３０ａ〜３０ｃ、５０を設けた。【選択図】        図６
2004310837.tif 000002
【特許請求の範囲】
【請求項１】
筐体と、
前記筐体に開口された挿入口と、
前記挿入口から挿入されるディスクカートリッジを収容可能な装填部と、
前記挿入口を閉塞する閉位置へと付勢されており、前記装填部側に傾動することで前記挿入口を開放する扉とを備えたディスク装置において、
前記扉の外表面に、外部から付着される水滴が、前記挿入口を開放する開位置で前記装填部内に落下することを防止するための水滴落下防止手段を設けた
ことを特徴とするディスク装置。
【請求項２】
前記水滴落下防止手段は、前記扉の長手方向に延在する段部である
ことを特徴とする請求項１に記載のディスク装置。
【請求項３】
前記段部は、前記扉の厚さ方向に窪ませた凹部である
ことを特徴とする請求項２に記載のディスク装置。
【請求項４】
前記凹部は、前記扉の中央部分を仕切るリブを設けている
ことを特徴とする請求項３に記載のディスク装置。
【請求項５】
前記水滴落下防止手段は、前記扉の長手方向に延在する吸水材からなる
ことを特徴とする請求項１に記載のディスク装置。
【請求項６】
前記水滴落下防止手段は、前記扉の長手方向に延在され、かつ、前記扉の厚さ方向に窪ませた凹部の底面部に吸水材を敷設させてなる
ことを特徴とする請求項１に記載のディスク装置。
【請求項７】
請求項１乃至請求項６の何れかに記載のディスク装置を備えたカメラ。
【発明の詳細な説明】
【０００１】
【発明の属する技術分野】
本発明は、ディスクカートリッジの挿入時に、挿入口を開閉する扉が傾動することで挿入口からのディスクカートリッジの挿入を可能にする構造のディスク装置及びこれを備えたカメラに関し、更に詳しくは、扉外表面に水滴が付いた状態で傾動させても水滴が内部に落下しないように工夫したディスク装置及びこれを備えたカメラに関する。
【０００２】
【従来の技術】
従来より、撮像したデータを、書き込み可能なディスク状記録媒体に記録するためのディスク装置を備えたカメラ一体型記録再生装置（以下、単にカメラと呼ぶ）が知られている。例えば、特許文献１、２に示されている。
【０００３】
【特許文献１】
特開２００１−１０１８５５号公報
【０００４】
【特許文献２】
特開２００１−１０１６７５号公報
【０００５】
このようなカメラに備えられたディスク装置においては、ディスクカートリッジ挿脱時の本体内部の露出を極力抑えるため、筐体に開口された細長い挿入口を介してディスクカートリッジの挿脱を行う構成が通常よく採用されている。また、挿入口にはこれを開閉する扉が設けられる。
【０００６】
図８に示すように、そのような扉５２は、ヒンジ機構ｈを介して筐体５４に取り付けられ、図示しないねじりコイルばねによって挿入口を閉塞する閉位置へと付勢されている。そして、ディスクカートリッジの挿入時には、矢印で示すように筐体５４の内部へと傾動され挿入口からのディスクカートリッジの挿入を可能にする。
【０００７】
【発明が解決しようとする課題】
しかし、上記従来例では、扉５２の外表面５２ａは平滑であり、挿入口を閉塞する閉位置で水滴ａが付着し、そのまま傾動してしまうと図８に示すように筐体５４内部のディスクカートリッジ装填部へと水滴ａが落下してしまう。装填部には光ピックアップ、半導体レーザ、回路基板などが配設されており、水滴ａの浸入によってそれらの故障を引き起こすおそれがある。
【０００８】
本発明は上述の問題に鑑みてなされ、その目的とするところは、扉の外表面に水滴が付着した状態で扉を傾動させても、水滴がディスクカートリッジの装填部へと落下することを防げるディスク装置及びこれを備えたカメラを提供することにある。
【０００９】
【課題を解決するための手段】
以上の課題を解決するにあたり、本発明のディスク装置では、内部に装填部を配設した筐体に形成された挿入口を開閉する扉の外表面に、外部から付着される水滴が扉の開位置で装填部内に落下することを防止するための水滴落下防止手段を設けたことを特徴としている。
【００１０】
水滴落下防止手段は、扉が傾動されたときその外表面に水滴が付着していた場合にその水滴の落下方向に形成されており、その水滴の落下を防止する機能を有する。これにより、水滴の装填部内への浸入を防止でき、故障の原因を阻害できる。
【００１１】
また、本発明のディスク装置では、前記水滴落下防止手段が、扉の長手方向に延在する段部であることを特徴としている。
【００１２】
扉はディスカートリッジの端部に押されて傾動しはじめるが、この際、扉の外表面に水滴が付着していたとしても、段部によりその水滴が堰き止められて、かかる水滴の落下が阻害される。その結果、水滴の浸入による故障の原因の発生を防止できる。
【００１３】
段部は扉の厚さ方向に対して突出させた凸部として設けてもよいし、あるいは扉の厚さ方向に窪ませた凹部として設けてもよい。
【００１４】
段部を扉の厚さ方向に対して突出させた凸部とした場合には、扉に対して後付けしやすく実現が容易である。ただし、筐体の挿入口の縁部にぶつかるように設けられる場合にはかかる凸部を受ける細工（例えば挿入口縁部にくぼみを設けるなど）が必要となる。また、ディスクカートリッジの端部が凸部にひっかかって挿入が妨げられないように突出高さを設定する必要がある。
【００１５】
段部を扉の厚さ方向に窪ませた凹部とした場合には、その凹部のくぼみの側壁部で水滴が堰き止められる。この場合には、筐体の挿入口付近に細工を要することなく簡単な構造で実現できる。また、凹部の場合には上記凸部に比べ、ディスクカートリッジの端部がひっかかりにくい構造であるので、ディスクカートリッジの挿入を円滑に行える。
【００１６】
また、上記凹部は、その形状をディスクカートリッジの端部の形状に沿うようにすれば、ディスクカートリッジの挿入を円滑にする挿入ガイドとして機能させることもできる。
【００１７】
また、本発明のディスク装置では、凹部は扉の中央部分を仕切るリブを設けていることを特徴としている。このリブによって、凹部内につき中央部分とその他を分断でき、水滴が大量に溜まることを防げる。これにより、装填部において最も水滴に弱いピックアップなどの光学部品、電子部品を確実に水滴から保護できる。
【００１８】
また、本発明のディスク装置では、水滴落下防止手段が、扉の長手方向に延在する吸水材からなることを特徴としている。
【００１９】
扉が傾動される際に、扉の外表面に水滴が付着していたとしても、上記吸水材によりその水滴が吸収されて、かかる水滴の落下が阻害される。その結果、水滴の浸入による故障の原因の発生を防止できる。
【００２０】
吸水材としては、例えば不織布や紙材などが挙げられる。また、吸水材は扉外表面に貼り付けてもよいし、あるいは扉の外表面を吸水性のある材料で作製してもよい。吸水材を貼り付ける構成であれば、雨天時にディスク装置を使用した場合など大粒の水滴が付着するような場合に、吸水材を交換することで簡単に初期の吸水機能を復元できる。また、貼り付けの場合には後付けが容易で他の部分に細工を要しない。
【００２１】
また、本発明では、上記水滴落下防止手段は、扉の長手方向に延在され、かつ、扉の厚さ方向に窪ませた凹部の底面部に吸水材を敷設させてなることを特徴としている。
【００２２】
この構成によると、凹部の存在により水滴が一気に扉外表面上を滑って装填部内へと落下しないようにできると共に、その凹部にて水滴の落下が堰き止められている間に吸水材に吸水させることができる。なお、吸水材は、扉の傾動された状態における前記装填部側に向かう方向に略直交する方向に延在させ、かつ、凹部の堰き止め部のうち扉の傾動された状態における装填部側に設けると効果的である。この場合には、凹部から溢れ出てくる水滴を吸水材にて吸水できる。このように凹部と吸水材との相乗的作用により、水滴落下を確実に防止できる。
【００２３】
本発明のカメラは上述したディスク装置を備えていることを特徴としている。すなわち、本発明のカメラでは、撮像されたデータは、上記ディスク装置の装填部に装填されたディスクカートリッジ内のディスク状記録媒体に記録可能となっている。
【００２４】
ディスク装置は内蔵機器としてカメラを構成する関係にある。カメラは屋外で使用することが多く、雨天使用時、あるいは、室外から室内への移動に伴う温度と湿度の変化により、扉の外表面に水滴がたまりやすいという特性があり、水滴落下防止の要請が強い。
【００２５】
また、本発明でディスクカートリッジとは、扁平状のカートリッジ内に形成される空間内に１枚のディスク状記録媒体（光ディスク、光磁気ディスク、磁気ディスク）が回転可能に収容された構造に限らず、ケーシング内に１枚あるいは複数枚の磁気ディスクと、この磁気ディスクに対する読み書きを行う磁気ヘッドを収容した構造のもの（いわゆる可搬性のハードディスク）も含む。
【００２６】
【発明の実施の形態】
以下、本発明の一例としての実施の形態に係るディスク装置及びこのディスク装置を備えたカメラついて図面を参照して説明する。
【００２７】
（カメラの全体構成）
図１は、本発明の一つの実施形態としてのカメラ１の外観斜視図を示す。カメラ１は、大別して本体３とレンズ２からなる。本体３の筺体４内には、レンズ２によって結像された光学情報を電気信号に変換する撮像素子や各種信号処理回路、更には前記電気信号をデジタル化したデータをディスク状記録媒体に光学的に記録・再生するディスク装置が内蔵されている。
【００２８】
以下、ディスク装置について説明する。
【００２９】
（装填部の構成）
ディスク装置は、図１においてカメラ本体３の右側面側に内蔵されている。図４は、右側面筐体４ｂが本体３から取り外され、ディスク装置の装填部２４が露出された状態を示す。装填部２４は、チャッキングテーブル１９、光ピックアップ（図示省略）、枠体２１、ローダー２０などを１つのユニットとして構成される。装填部２４の４隅には外方へ張り出した取付部２３が設けられており、この取付部２３にねじ２２が通されて、装填部２４が筐体４に対して取り付けられる。
【００３０】
以上の装填部２４の他に、ディスクカートリッジを装填部２４へと挿入するための挿入口と、この挿入口を開閉する扉と、挿入口を覆うようにして密閉可能な蓋と、この蓋の閉位置を保持するロック部材などを備えて本実施の形態に係るディスク装置が構成される。
【００３１】
（挿入口付近の構造）
図２は挿入口１０付近の斜視図を示す。カメラ本体３の上面筐体４ａと右側面筐体４ｂとの接続部に、これら筐体４ａ、４ｂの他の外表面よりくぼんだ挿入口形成面９が形成されている。この挿入口形成面９に、カメラ本体３の前後方向に細長く延在する挿入口１０が開口されている。
【００３２】
上面筐体４ａに対して右側面筐体４ｂは例えばねじ止めにて取り付けられるが、この際、上面筐体４ａに形成された略コ字状の切欠き１０ａと右側面筐体４ｂに形成された略コ字状の切欠き１０ｂどうしを向き合わせるようにすることで、略長方形状の挿入口１０が得られる。
【００３３】
挿入口１０の長さは、挿入すべきディスクカートリッジ８の幅よりわずかに大きく、挿入口１０の幅はディスクカートリッジ８の厚さよりわずかに大きくされており、挿入口１０を介してのディスクカートリッジ８の装填部２４への挿入あるいは取出を可能としている。
【００３４】
（蓋の構造）
右側面筐体４ｂには、挿入口１０を含む挿入口形成面９全体を覆う閉位置（図１の状態）と、挿入口１０及び挿入口形成面９を開放する開位置（図２の状態）との間を回動可能な蓋５が取り付けられている。蓋５において挿入口形成面９と向き合う内面側には、右側面筐体４ｂを貫通するヒンジ１１ａの一端部が連結されている。蓋５は図示しないねじりコイルばねにて挿入口形成面９を開放する方向に付勢されている。
【００３５】
挿入口形成面９において内方寄りの箇所にはＬ字状のロック部材５８ａ、５８ｂが配設されており、蓋５の内表面には、蓋５が閉位置となったときにロック部材５８ａ、５８ｂと係合可能な金具（図示せず）が取り付けられている。
【００３６】
（扉の構造）
図５は右側面筐体４ｂの内面側（装填部２４に向き合う側）を示す。上記挿入口１０の半分を構成するコ字状の切欠き１０ｂの縁部裏面には、軸部材２６、ねじりコイルばね２５などから構成されるヒンジ機構を介して、挿入口１０の大きさよりも大きな長方形状の扉１２が取り付けられている。
【００３７】
軸部材２６は扉１２の長手方向に沿って延在し、筐体４ｂの内面に取り付けられた軸受部材２７ａ、２７ｂに一体的に形成された軸受部２８を貫通している。更に、軸部材２６は、扉１２の内表面に一体的に形成された軸受部４０も貫通している。これによって、扉１２は軸部材２６を中心に、挿入口１０を閉塞する閉位置と、筐体４ｂの内面側に傾動して挿入口１０を開放する開位置との間で回動自在となっている。
【００３８】
また、軸部材２６において、軸受部材２７ａの両軸受部２８間の部分にはねじりコイルばね２５が巻回されている。ねじりコイルばね２５の一端部は軸受部２８に掛止され、他端部は扉１２の内表面に当接して、扉１２を閉位置へと付勢している。なお、扉１２はその外表面の一部を切欠き１０ｂの縁部裏面に当接させてそれ以上回動されないようになっている。
【００３９】
次に、図６を参照して、扉１２の外表面の構造について説明する。扉１２の外表面は、扉１２が挿入口１０を閉塞する閉位置にあるときに、装填部２４が配設された筐体内部の反対側を向く面であり、蓋５が挿入口形成面９を開放していると筐体４の外部に露出される面である。
【００４０】
図６に示すように、扉１２の外表面には段部５０が形成されている。段部５０は複数の凹部からなる。具体的には、長尺方向に関しての両端部には、扉１２の縁部外表面よりも厚さ方向にくぼんだ平面部３１ａ、３１ｂが形成され、更にこの平面部３１ａ、３１ｂよりも厚さ方向にくぼんだ平面部３４ａ、３４ｂが、斜面部３２ａ、３２ｂを介して接続されている。平面部３４ａ、３４ｂ間にはリブ３５ａ、３５ｂを介在させて平面部３４ａ、３４ｂとほぼ面一な平面部３３が形成されている。
【００４１】
各々の平面部３１ａ、３１ｂ、３４ａ、３４ｂ、３３は、斜面部３２ａ、３２ｂ、リブ３５ａ、３５ｂによって複数に分断されており、扉１２の長手方向に関して不連続である。
【００４２】
リブ３５ａ、３５ｂは、扉１２の長手方向に直交する方向に延在し、平面部３４ａ、３４ｂを底面とする凹部と、平面部３３を底面とする凹部とを隔離している。
【００４３】
各凹部において、ヒンジ機構と反対側に形成された側壁面は、扉１２が傾動された際に水滴の装填部２４側への落下を防止する堰き止め部として機能する。
【００４４】
また、各平面部３１ａ、３１ｂ、３４ａ、３４ｂ、３３、及び斜面部３２ａ、３２ｂには、吸水材３０ａ〜３０ｃが敷設されている。吸水材３０ａは、平面部３１ａ、斜面部３２ａ、平面部３４ａに沿うようにして貼着され、吸水材３０ｃは、平面部３１ｂ、斜面部３２ｂ、平面部３４ｂに沿うようにして貼着され、吸水材３０ｂは、平面部３３に沿うようにして貼着されている。
【００４５】
吸水材３０ａ〜３０ｃは不織布や紙材など吸水性を有する材料からなる。例えば、ポリエステル繊維、アクリル繊維、ポリウレタン樹脂を、それぞれ混用率５４％、４０％、６％で混用させたものが用いられる。例えば、布厚は０．４３±０．０５ｍｍ（測定法はＪＩＳ  Ｌ−１０９６圧縮弾性法、初荷重７ｇ／ｃｍ２  ）。目付は１０５．０±５％（測定法はＪＩＳ  Ｌ−１０９６、見掛け重さ標準状態）。
【００４６】
（ディスクカートリッジ８の挿入口１０からの挿入動作）
図１に示す蓋５が閉じられた状態から上面筐体４ａに形成された取出ボタン６を押すと、図２に示すロック部材５８ａ、５８ｂと蓋５との係合が解除され、蓋５は図示しないねじりコイルばねの付勢力にて挿入口形成面９を開放する。
【００４７】
そして、図３に示すように、ディスクカートリッジ８の挿入側端面を扉１２の外表面に当接させてディスクカートリッジ８を挿入口１０から挿入する。このとき、扉１２はディスクカートリッジ８にその外表面が押されて、図５に示すねじりコイルばね２５の付勢力に抗してヒンジ機構を中心として装填部２４側へと傾動することで挿入口１０からのディスクカートリッジ８の挿入を許容する。
【００４８】
ここで、上述したように、扉１２の外表面は面一ではなく複数の凹部が形成されているので、図７に示す扉１２が傾動された状態で、水滴の落下方向である装填部２４側に向かう方向に凹部の側壁部が存在する。このことにより、扉１２が閉位置にあるときに外表面に水滴ａが付着し、その状態で傾動されてしまっても、その凹部側壁部にて水滴ａを堰き止めることが可能になり、装填部２４側への落下を防げる。この結果、水滴の浸入による光ピックアップやその他電子部品の故障や動作不良を防止できる。
【００４９】
また、リブ３５ａ、３５ｂによって、扉１２の他の表面上から中央部分へと水滴が移動してくるのを防げ、中央部分に水滴が多量に溜まってしまうことを防げる。装填部２４においては、扉１２の長手方向に関して中央部分に光ピックアップや半導体レーザなどが配置されており、以上のことにより装填部２４において最も水滴に弱い光ピックアップなどの光学部品、電子部品を確実に水滴から保護できる。
【００５０】
また、吸水材３０ａ〜３０ｃによって扉１２の外表面に水滴ａが付着した時点で水滴ａはすぐさま吸水されて装填部２４への落下が防止される。あるいは、段部５０にて水滴ａの落下が堰き止められている間に吸水材３０ａ〜３０ｃによって水滴ａを吸水することで、段部５０における堰き止め作用と、吸水材３０ａ〜３０ｃによる吸水作用との相乗効果にて、装填部２４への水滴落下を確実に防止できる。
【００５１】
以上、本発明の実施の形態について説明したが、勿論、本発明はこれに限定されることなく、本発明の技術的思想に基づいて種々の変形が可能である。
【００５２】
扉１２の外表面形状は平滑な面一とし、この上に吸水材を設ける構成としてもよい。水滴を堰き止める段部がなくても、吸水材にて外表面上の水滴は吸収されるので、装填部２４への水滴の落下は防げる。
【００５３】
また、微量の水滴であれば、吸水材を設けず、段部の形成だけでも、装填部２４への水滴の落下防止には効果がある。
【００５４】
段部や吸水材は扉１２の外表面上に全面的に存在させる必要はなく、例えば、装填部２４におけるピックアップ配置箇所に相当する部分にだけ設けるなど、部分的であってもよい。
【００５５】
【発明の効果】
以上述べたように、本発明によれば、挿入口を開閉する扉の外表面に傾動時の水滴の落下を防止する水滴落下防止手段を設けることで、ディスクカートリッジの挿入時に装填部内へと水滴が浸入してしまうのを防いで、動作不良や部品自体の故障を防げる。
【図面の簡単な説明】
【図１】本発明の実施の形態に係るカメラの外観斜視図である。
【図２】同実施の形態においてディスクカートリッジ挿入口付近の拡大斜視図である。
【図３】同実施の形態に係る挿入口にディスクカートリッジが挿入されようとしている状態を示す斜視図である。
【図４】同実施の形態に係る装填部の概略平面図である。
【図５】同実施の形態に係る扉の内表面側の斜視図である。
【図６】同実施の形態に係る扉の外表面側の斜視図である。
【図７】同実施の形態に係る扉の傾動時の斜視図である。
【図８】従来例の扉の傾動動作を説明する模式図である。
【符号の説明】
１…カメラ、２…レンズ、３…本体、４，４ａ，４ｂ…筐体、５…蓋、８…ディスクカートリッジ、９…挿入口形成面、１０…挿入口、１０ａ，１０ｂ…切欠き、１２…扉、２０…ローダー、２４…装填部、２５…ねじりコイルばね、３０ａ〜３０ｃ…吸水材、５０…段部、５８ａ，５８ｂ…ロック部材。
【図１】
2004310837.tif 000003
【図２】
2004310837.tif 000004
【図３】
2004310837.tif 000005
【図４】
2004310837.tif 000006
【図５】
2004310837.tif 000007
【図６】
2004310837.tif 000008
【図７】
2004310837.tif 000009
【図８】
2004310837.tif 000010